(57)【要約】  接着剤層を使用することにより太陽光捕集デバイスへの適用が容易である感圧接着型の波長変換テープを本明細書に記載する。前記感圧接着型の波長変換テープは、感圧接着剤層を含み、前記感圧接着剤層は、特定の波長の光子を異なる、より望ましい波長に変換する１つまたは複数のルミネセンス色素を含有する。前記接着剤層は、太陽光捕集デバイス、例えば、太陽電池、ソーラーパネルまたは光起電力デバイスの光入射面に接着して該デバイスの効率を改善するように設計されている。【選択図】図１
2015511256.tif 000002
【特許請求の範囲】
【請求項１】
感圧波長変換テープであって、
感圧接着剤層を含み、前記感圧接着剤層が、
接着性高分子材料と、
少なくとも１つのルミネセンス色素と
を含有し、前記少なくとも１つのルミネセンス色素が、第一の波長の入射光子の一部分を第二の波長に変換するように構成されているものであるテープ。
【請求項２】
基材層をさらに含み、前記基材層がポリマー材料を含有する、請求項１に記載のテープ。
【請求項３】
前記感圧接着剤層が、２つ以上のルミネセンス色素を含有する、請求項１または２に記載のテープ。
【請求項４】
前記少なくとも１つのルミネセンス色素が、上方変換発色団である、請求項１から３のいずれかに記載のテープ。
【請求項５】
前記少なくとも１つのルミネセンス色素が、ダウンシフト発色団である、請求項１から３のいずれかに記載のテープ。
【請求項６】
前記少なくとも１つのルミネセンス色素が、有機色素である、請求項１から５のいずれかに記載のテープ。
【請求項７】
前記少なくとも１つのルミネセンス色素が、ペリレン誘導体色素、ベンゾトリアゾール誘導体色素、およびベンゾチアジアゾール誘導体色素からなる群より選択される、請求項１から６のいずれかに記載のテープ。
【請求項８】
前記少なくとも１つのルミネセンス色素が、式（Ｉ−ａ）または（Ｉ−ｂ）：
【化１】
2015511256.tif 000022
（式中、
ｉは、０から１００の範囲の整数であり；
Ａ０およびＡｉは、場合により置換されているアルキル、場合により置換されているアルケニル（ａｌｋｙｅｎｙｌ）、場合により置換されているヘテロアルキル、場合により置換されているアリール、場合により置換されているヘテロアリール、場合により置換されているアミノ、場合により置換されているアミド、場合により置換されているシクロアミド、場合により置換されているシクロイミド、場合により置換されているアルコキシ、および場合により置換されているカルボキシ、および場合により置換されているカルボニルからなる群より各々独立して選択され；
Ａ２は、場合により置換されているアルキレン、場合により置換されているアルケニレン、場合により置換されているアリーレン、場合により置換されているヘテロアリーレン、ケトン、エステル、および
【化２】
2015511256.tif 000023
（式中、Ａｒは、場合により置換されているアリール、または場合により置換されているヘテロアリールであり；Ｒ１は、Ｈ、アルキル、アルケニル、アリール、ヘテロアリール、アラルキル、アルカリールからなる群より選択され；およびＲ２は、場合により置換されているアルキレン、場合により置換されているアルケニレン、場合により置換されているアリーレン、場合により置換されているヘテロアリーレン、ケトンおよびエステルからなる群より選択され；またはＲ１およびＲ２は、環を形成するように互いに結合されていてもよい）
からなる群より選択され；
Ｄ１およびＤ２は、水素、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、シクロアミド、およびシクロイミドからなる群より独立して選択されるが、ただし、Ｄ１およびＤ２がともに水素ではなく；ならびに
Ｌｉは、場合により置換されているアルキレン、場合により置換されているアルケニレン、場合により置換されているアルキニレン、場合により置換されているアリーレン、および場合により置換されているヘテロアリーレンからなる群より独立して選択される）
によって表される、請求項１から７のいずれかに記載のテープ。
【請求項９】
前記少なくとも１つのルミネセンス色素が、式（ＩＩ−ａ）または（ＩＩ−ｂ）：
【化３】
2015511256.tif 000024
（式中、
ｉは、０から１００の範囲の整数であり；
Ａｒは、場合により置換されているアリール、または場合により置換されているヘテロアリールであり；
Ｒ４は、
【化４】
2015511256.tif 000025
または場合により置換されている環状イミドであり；
Ｒ１は、Ｈ、アルキル、アルケニル、アリール、ヘテロアリール、アラルキルおよびアルカリールからなる群より各々独立して選択され；
Ｒ３は、場合により置換されているアルキル、場合により置換されているアルケニル、場合により置換されているアリール、および場合により置換されているヘテロアリールからなる群より各々独立して選択され；またはＲ１およびＲ３は、環を形成するように互いに結合されていてもよく；
Ｒ２は、場合により置換されているアルキレン、場合により置換されているアルケニレン、場合により置換されているアリーレン、場合により置換されているヘテロアリーレンからなる群より選択され；
Ｄ１およびＤ２は、水素、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、環状アミド、および環状イミドからなる群より各々独立して選択されるが、ただし、Ｄ１およびＤ２がともに水素ではなく；ならびに
Ｌｉは、場合により置換されているアルキレン、場合により置換されているアルケニレン、場合により置換されているアルキニレン、場合により置換されているアリーレン、場合により置換されているヘテロアリーレンからなる群より独立して選択される）
によってさらに表される、請求項１から８のいずれかに記載のテープ。
【請求項１０】
前記少なくとも１つのルミネセンス色素が、式（ＩＩＩ−ａ）または（ＩＩＩ−ｂ）：
【化５】
2015511256.tif 000026
（式中、
ｉは、０から１００の範囲の整数であり；
Ａ０およびＡｉは、場合により置換されているアルキル、場合により置換されているアルケニル、場合により置換されているヘテロアルキル、場合により置換されているアミド、場合により置換されているアルコキシ、場合により置換されているカルボニル、および場合により置換されているカルボキシからなる群より各々独立して選択され；
各Ｒ５は、場合により置換されているアルコキシ、場合により置換されているアリールオキシ、場合により置換されているアシルオキシ、およびアミノからなる群より独立して選択され；
Ａ２は、場合により置換されているアルキレン、場合により置換されているアルケニレン、場合により置換されているアリーレン、場合により置換されているヘテロアリーレン、ケトン、エステル、および
【化６】
2015511256.tif 000027
（式中、Ａｒは、場合により置換されているアリールまたは場合により置換されているヘテロアリールであり；Ｒ１は、Ｈ、アルキル、アルケニル、アリール、ヘテロアリール、アラルキル、アルカリールからなる群より選択され；およびＲ２は、場合により置換されているアルキレン、場合により置換されているアルケニレン、場合により置換されているアリーレン、場合により置換されているヘテロアリーレン、ケトンおよびエステルからなる群より選択され；またはＲ１およびＲ２は、環を形成するように互いに結合されていてもよい）
からなる群より選択され；ならびに
Ｌｉは、場合により置換されているアルキレン、場合により置換されているアルケニレン、場合により置換されているアルキニレン、場合により置換されているアリーレン、場合により置換されているヘテロアリーレンからなる群より独立して選択される）
によってさらに表される、請求項１から８のいずれかに記載のテープ。
【請求項１１】
前記少なくとも１つのルミネセンス色素が、式（ＩＶ）：
【化７】
2015511256.tif 000028
（式中、
ｉは、０から１００の範囲の整数であり；
ＺおよびＺｉは、−Ｏ−、−Ｓ−、−Ｓｅ−、−Ｔｅ−、−ＮＲ６−、−ＣＲ６＝ＣＲ６−、および−ＣＲ６＝Ｎ−からなる群より各々独立して選択され、前記Ｒ６は、水素、場合により置換されているＣ１−Ｃ６アルキル、または場合により置換されているＣ１−Ｃ１０アリールであり；ならびに
Ｄ１およびＤ２は、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、環状アミド、および環状イミドからなる群より独立して選択され；
ｊは、０、１または２であり、およびｋは、０、１または２であり；
Ｙ１およびＹ２は、場合により置換されているアリール、場合により置換されているアルキル、場合により置換されているシクロアルキル、場合により置換されているアルコキシ、および場合により置換されているアミノからなる群より独立して選択され；ならびに
Ｌｉは、場合により置換されているアルキレン、場合により置換されているアルケニレン、場合により置換されているアルキニレン、場合により置換されているアリーレン、場合により置換されているヘテロアリーレンからなる群より独立して選択される）
によって表される、請求項１から７のいずれかに記載のテープ。
【請求項１２】
前記少なくとも１つのルミネセンス色素が、式（Ｖ−ａ）または式（Ｖ−ｂ）：
【化８】
2015511256.tif 000029
（これらの式において、
式（Ｖ−ａ）中のＲ１およびＲ１’は、水素、Ｃ１−Ｃ１０アルキル、Ｃ３−Ｃ１０シクロアルキル、Ｃ１−Ｃ１０アルコキシ、Ｃ６−Ｃ１８アリール、およびＣ６−Ｃ２０アラルキルからなる群より各々独立して選択され；式（Ｖ−ａ）中のｍおよびｎは、各々独立して、１から５の範囲であり；ならびに式（Ｖ−ｂ）中のＲ２およびＲ２’は、Ｃ６−Ｃ１８アリールおよびＣ６−Ｃ２０アラルキルからなる群より各々独立して選択される）
によって表される、請求項１から７のいずれかに記載のテープ。
【請求項１３】
前記ポリマー材料が、ポリエチレン、ポリプロピレン、ポリエステル、ポリアミド、ポリカーボネート、ポリメチルメタクリレート、ポリビニルブチラール、エチレン酢酸ビニル、エチレンテトラフルオロエチレン、ポリイミド、ポリスチレン、シロキサンゾル−ゲル、ポリウレタン、ポリアクリレート、およびこれらの組み合わせからなる群より選択される、請求項１から１２のいずれか一項に記載のテープ。
【請求項１４】
前記感圧接着剤層中の接着性高分子材料が、ゴム、アクリル樹脂、シリコーン、ビニルアルキルエーテル、ポリエステル、ポリアミド、ウレタン、フッ素、エポキシ、エチレン酢酸ビニル、またはこれらの混合物からなる群より選択される、請求項１から１３のいずれか一項に記載のテープ。
【請求項１５】
前記感圧接着剤層中の接着性高分子材料が、架橋剤を使用して架橋される、請求項１から１４のいずれか一項に記載のテープ。
【請求項１６】
以下の成分のうちの１つ以上をさらに含有する、請求項１から１５のいずれか一項に記載のテープ：
フェノール樹脂、テルペン−フェノール樹脂、テルペン樹脂、キシレン樹脂、ロジンおよび水素化樹脂からなる群より選択される、少なくとも１つの増粘剤；
炭酸カルシウムおよびカーボンブラックからなる群より選択される、少なくとも１つの無機フィラー；
潤滑剤、老化防止剤、色素、着色剤、顔料、界面活性剤、可塑剤、消泡剤、難燃剤、光安定剤、揺変剤、紫外線吸収剤、低分子量ポリマー、酸化防止剤、耐熱安定剤、金属粉末、重合抑制剤、またはこれらの任意の混合物。
【請求項１７】
前記感圧接着剤層の屈折率が、約１．４から約１．７の範囲である、請求項１から１６のいずれか一項に記載のテープ。
【請求項１８】
前記ルミネセンス色素が、前記感圧接着剤層の高分子材料中に約０．０１重量％から約３．０重量％の範囲の量で存在する、請求項１から１７のいずれか一項に記載のテープ。
【請求項１９】
前記テープの厚みが、約１０μｍと約２ｍｍの間である、請求項１から１８のいずれか一項に記載のテープ。
【請求項２０】
前記感圧接着剤層の厚みが、約１μｍから約５００μｍ間である、請求項１から１９のいずれか一項に記載のテープ。
【請求項２１】
前記感圧接着剤層に付着している除去可能なライナーをさらに含む、請求項１から２０のいずれか一項に記載のテープ。
【請求項２２】
前記除去可能なライナーが、プラスチックフィルムを含む、請求項２１に記載のテープ。
【請求項２３】
前記除去可能なライナーが、フルオロポリマー、ポリエチレンテレフタレート、ポリエチレン、ポリプロピレン、ポリエステル、ポリブテン、ポリブタジエン、ポリメチルペンテン、ポリ塩化ビニル、塩化ビニルコポリマー、ポリブチレンテレフタレート（ｐｏｌｙｂｕｔａｌｅｎｅ  ｔｅｒｅｐｔｈａｌａｔｅ）、ポリウレタン、エチレン−酢酸ビニル、グラシン紙、コート紙、積層加工紙、布地、不織布シート、および金属箔からなる群より選択される、請求項２１または２２に記載のテープ。
【請求項２４】
前記除去可能なライナーの厚みが、約１０μｍと約１００μｍの間である、請求項２１から２３のいずれか一項に記載のテープ。
【請求項２５】
追加の材料または層、例えば、ポリマーフィルム、または前記系に追加の層を接着するための接着剤層が、前記テープに使用される、請求項１から２４のいずれか一項に記載のテープ。
【請求項２６】
ＵＶ吸収剤を含有する追加のポリマー層をさらに含む、請求項１から２５のいずれか一項に記載のテープ。
【請求項２７】
前記追加のポリマー層が、第二のルミネセンス色素を含有する、請求項２６に記載のテープ。
【請求項２８】
太陽光捕集デバイスの性能を改善する方法であって、請求項１から２７のいずれかに記載のテープを該デバイスに適用することを含む方法。
【請求項２９】
前記テープが、ロールラミネータを使用して前記太陽光捕集デバイスに適用される、請求項２８に記載の方法。
【請求項３０】
前記太陽光捕集デバイスが、シリコン系デバイス、ＩＩＩ−ＶもしくはＩＩ−ＶＩ  ＰＮ接合デバイス、銅−インジウム−ガリウム−セレン（ＣＩＧＳ）薄膜デバイス、有機増感剤デバイス、有機薄膜デバイス、または硫化カドミウム／テルル化カドミウム（ＣｄＳ／ＣｄＴｅ）薄膜デバイスからなる群より選択される、請求項２８または２９のいずれか一項に記載の方法。
【請求項３１】
前記太陽光捕集デバイスが、ガラスまたはポリマーを含有する光入射面を含む、請求項２８から３０のいずれか一項に記載の方法。
【発明の詳細な説明】
【技術分野】
【０００１】
本発明は、一般に、感圧接着型の波長変換テープに関するもので、当該テープは、太陽電池、ソーラーパネルまたは光起電力デバイスへの適用が容易であり、およびこれらのデバイスの太陽光捕集効率の改善に有用である。
【０００２】
（関連出願の相互参照）
本特許出願は、２０１２年２月１日に出願された米国特許仮出願第６１／５９３，７２０号および２０１２年２月２日に出願された米国特許仮出願第６１／５９４，２８８号の優先権の恩典を主張するものである。前述の出願のすべてがあらゆる目的のために参照により全面的に援用されている。
【背景技術】
【０００３】
太陽エネルギーの利用により、旧来の化石燃料に対する有望な代替エネルギー源が得られる。そのため、太陽エネルギーを電気に変換することができるデバイス、例えば、光起電力デバイス（太陽電池としても公知）の開発は、近年、著しく注目されている。幾つかの異なるタイプの完成した光起電力デバイスが開発されており、それらとしては、２、３例をあげると、シリコン系デバイス、ＩＩＩ−ＶおよびＩＩ−ＶＩ  ＰＮ接合デバイス、銅−インジウム−ガリウム−セレン（Ｃｏｐｐｅｒ−Ｉｎｄｉｕｍ−Ｇａｌｌｉｕｍ−Ｓｅｌｅｎｉｕｍ：ＣＩＧＳ）薄膜デバイス、有機増感剤デバイス、有機薄膜デバイス、および硫化カドミウム／テルル化カドミウム（ＣｄＳ／ＣｄＴｅ）薄膜デバイスがあげられる。これらのデバイスに関するさらに詳しい情報は、Ｌｉｎら、「Ｈｉｇｈ  Ｐｈｏｔｏｅｌｅｃｔｒｉｃ  Ｃｏｎｖｅｒｓｉｏｎ  Ｅｆｆｉｃｉｅｎｃｙ  ｏｆ  Ｍｅｔａｌ  Ｐｈｔｈａｌｏｃｙａｎｉｎｅ／Ｆｕｌｌｅｒｅｎｅ  Ｈｅｔｅｒｏｊｕｎｃｔｉｏｎ  Ｐｈｏｔｏｖｏｌｔａｉｃ  Ｄｅｖｉｃｅ」（Ｉｎｔｅｒｎａｔｉｏｎａｌ  Ｊｏｕｒｎａｌ  ｏｆ  Ｍｏｌｅｃｕｌａｒ  Ｓｃｉｅｎｃｅｓ  ２０１１）などの文献の中で見つけることができる。しかし、これらのデバイスのうちの多くのものの光電変換効率には改善の余地があり、この効率を改善するための技法の開発は、多くの研究者がずっと抱えてきた難題である。
【０００４】
最近、光起電力デバイスの効率を改善するために開発された１つの技法は、波長ダウンシフトフィルムの利用である。光起電力デバイスの多くは、光の全スペクトルを有効に利用することができない。このデバイス上の材料が、光を電気に変換することができる光導電材料層を光に通過させるのではなく、光の一定の波長（典型的には、より短いＵＶ波長）を吸収するからである。波長ダウンシフトフィルムを適用することで、より短い波長の光子が吸収され、それらがより好適なより長い波長で再び放出され、その後、それらの光子は、そのデバイス中の光導電層によって吸収され、電気に変換され得る。
【０００５】
この現象は、薄膜ＣｄＳ／ＣｄＴｅおよびＣＩＧＳ太陽電池において観察されることが多く、前記太陽電池は、両方とも、ウインドウ層としてＣｄＳを用いる。これらの薄膜太陽電池の低コストおよび高効率は、近年、著しく注目されており、典型的な市販の電池は、１０〜１６％の光電変換効率を有する。しかし、これらのデバイスに伴う１つの問題点は、おおよそ２．４１ｅＶというＣｄＳのエネルギーギャップであり、このエネルギーギャップに起因して、５１４ｎｍ未満の波長の光は、それをエネルギーに変換することができる光導電層を通過するのではなく、ＣｄＳによって吸収される。光の全スペクトルを有効に利用できないことが、前記デバイスの総合光電変換効率の低下をもたらす。
【０００６】
光起電力デバイスの性能を改善するための波長ダウンシフト材料の利用を開示している非常に多くの報告書がある。例えば、米国特許出願公開第２００９／０１５１７８５号明細書は、波長ダウンシフト無機リン光材料を含有するシリコン系太陽電池を開示している。米国特許出願公開第２０１１／００１１４５５号明細書は、プラズモン層と、波長変換層と、光起電力層とを含む集積型太陽電池を開示している。米国特許第７，７９１，１５７号明細書は、量子ドット化合物を含有する波長変換層を有する太陽電池を開示している。米国特許出願公開第２０１０／０２９４３３９号明細書は、ルミネセンスダウンシフト材料を含有する集積型光起電力デバイスを開示しているが、実施形態例は作成されなかった。米国特許出願公開第２０１０／００１２１８３号明細書は、波長ダウンシフト光ルミネセンス媒体を有する薄膜太陽電池を開示しているが、実施例は提供されていない。米国特許出願公開第２００８／０２３６６６７号明細書は、無機蛍光粉末を含有する薄膜ポリマーの形態で作られた、向上したスペクトル変換フィルムを開示している。しかし、これらの特許および特許出願公開（これらは、それら全体が参照により本明細書に援用されている）の各々は、波長変換フィルムを太陽電池デバイスに適用するために特別なツールセットを必要とし得る、時間がかかり、時として複雑であり、かつ費用が嵩む技法を用いている。これらの技法としては、スピンコーティング、ドロップキャスティング、沈降、溶剤蒸発、化学蒸着、物理蒸着などがあげられる。
【発明の概要】
【課題を解決するための手段】
【０００７】
感圧接着剤層を含む感圧接着型の波長変換テープを提供する。幾つかの実施形態において、かかる波長変換テープは、太陽光捕集デバイス、例えば、太陽電池、ソーラーパネルおよび光起電力デバイスへの適用が容易であるような構成になっている。幾つかの実施形態は、それらのデバイスの光入射面に適用されたときに太陽光捕集効率を向上させることができるデバイスを提供する。幾つかの実施形態において、波長変換用の前記感圧接着テープは、感圧接着剤層を含む。幾つかの実施形態において、前記感圧接着剤層は、接着性高分子材料と少なくとも１つのルミネセンス色素とを含有する。一部の実施形態において、前記テープは、第一の波長を有する少なくとも１つの光子をインプットとして受け取り、前記第一のものとは異なる第二の波長を有する少なくとも１つの光子をアウトプットとして提供する。一部の実施形態において、前記感圧接着剤層は、光学的に透明である。
【０００８】
本明細書に記載する感圧接着型の波長変換テープは、追加の層を含むことがある。例えば、前記テープは、前記接着剤層に隣接した除去可能なライナーを含むことがある。一部の実施形態では、前記除去可能なライナーを（存在する場合には）除去し、露出した感圧接着剤層表面を太陽電池、ソーラーパネルまたは光起電力デバイスの光入射面にプレスすることによって、前記テープを前記太陽電池、ソーラーパネルまたは光起電力デバイスに適用する。一部の実施形態において、前記テープの太陽電池、ソーラーパネルまたは光起電力デバイスへの適用は、そのデバイスの太陽光捕集効率を改善する。
【０００９】
一部の実施形態において、前記感圧接着テープは、基材層をさらに含むことがある。前記基材層は、ポリマー材料を含有する。一部の実施形態において、前記基材層は、光学的に透明である。本発明のもう１つの態様は、光起電力デバイス、太陽電池、ソーラーモジュールまたはソーラーパネルの性能の改善する方法に関し、この方法は、本明細書に記載の感圧接着型の波長変換テープを適用する段階、および前記接着剤層を前記デバイスの光入射側に接着する段階を含む。様々なデバイス、例えば、シリコン系デバイス、ＩＩＩ−ＶもしくはＩＩ−ＶＩ接合デバイス、銅−インジウム−ガリウム−セレン（ＣＩＧＳ）薄膜デバイス、有機増感剤デバイス、有機薄膜デバイス、または硫化カドミウム／テルル化カドミウム（ＣｄＳ／ＣｄＴｅ）薄膜デバイスの太陽光捕集効率を改善することができる。
【００１０】
前記感圧接着型の波長変換テープを、より小さい個々の太陽電池、またはソーラーパネル全体、に対応させるために、様々な長さおよび幅を有するロールの形態で提供することができる。ロールラミネータを使用して、前記テープを前記デバイスに適用することができる。前記テープを硬質デバイスに適用することができ、または可撓性デバイスに適用することができる。標準的切断方法を用いて、前記テープを任意の所望のサイズに切断することができる。
【００１１】
本発明の態様および関連技術に対して達成された利点を要約するために、本発明の一定の目的および利点を本開示に記載する。もちろん、かかる目的または利点の必ずしもすべてが、本発明の任意の特定の実施形態に従って達成され得るとは限らないことは、理解されるはずである。したがって、例えば、本明細書において教示するような１つの利点または利点群を達成するまたは最適化するが、本明細書において教示または提案され得る他の目的または利点を必ずしも達成するとは限らない様式で、本発明を実施するまたは行うことができることは、当業者にはわかるであろう。
【００１２】
これらおよび他の実施形態を下でより詳細に説明する。
【図面の簡単な説明】
【００１３】
【図１】図１は、感圧接着型の波長変換テープの１つの実施形態を図示する。
【００１４】
【図２】図２は、感圧接着型の波長変換テープの別の実施形態を図示する。
【００１５】
【図３】図３は、感圧接着型の波長変換テープの１つの実施形態を図示する。
【００１６】
【図４】図４は、実施例１（ＢＡ／ＡＡ）および比較例２（ＥＶＡ）試料の吸収スペクトル（実線）および発光スペクトル（断続線）を示す。
【発明を実施するための形態】
【００１７】
本開示は、感圧接着型の波長変換テープに関する。前記テープを太陽光捕集デバイス、例えば太陽電池、ソーラーパネルまたは光起電力デバイス、の光入射面に適用すると、その光電変換効率は高められる。本発明者らは、感圧接着剤層を含む感圧接着型の波長変換テープであって、前記接着剤層を太陽光捕集デバイスの光入射面にプレスすることによってその太陽光捕集デバイスに容易に適用することができる波長変換テープを作成できることを、最近、発見した。前記感圧接着型の波長変換テープの適用は、前記太陽電池デバイスの太陽光捕集効率を向上させる。前記感圧接着型の波長変換テープは、シリコン系デバイス、ＩＩＩ−ＶおよびＩＩ−ＶＩ  ＰＮ接合デバイス、ＣＩＧＳ薄膜デバイス、有機増感剤デバイス、有機薄膜デバイス、ＣｄＳ／ＣｄＴｅ薄膜デバイス、色素増感デバイスなどをはじめとする、様々なタイプの太陽電池およびソーラーパネルすべてに対応し得るように作成することができる。非晶質シリコン太陽電池、微晶性シリコン太陽電池および結晶シリコン太陽電池などのデバイスもまた改善することができる。加えて、前記テープを、新たなデバイスまたはより古い、既に稼働中のデバイスに適用することが可能であり、および必要に応じてそのデバイスに合うように切断することができる。
【００１８】
発色団化合物は、ルミネセンス色素または蛍光色素と呼ばれることがある化合物であって、特定の波長または波長範囲の光子を吸収して異なる波長または波長範囲でその光子を再び放出する化合物である。フィルム媒体に使用される発色団は、太陽光捕集デバイスの性能を大いに向上させることができる。かかるデバイスは、極端な環境条件に長期間、例えば２０年以上、曝露されることが多いので、その発色団の安定性の維持は重要である。一部の実施形態では、ワン・サン（ＡＭ１．５Ｇ）照射下で長期間、例えば２０，０００時間以上、分解が１０％未満である良好な光安定性を有する発色団化合物を、本明細書に記載する感圧接着型の波長変換テープに好ましくは使用する。
【００１９】
一部の実施形態では、前記発色団を、第一の波長の入射光子を異なる第二の波長に変換するように構成する。様々な発色団を使用することができる。一部の実施形態において、前記少なくとも１つの発色団は、有機色素である。一部の実施形態において、前記少なくとも１つの発色団は、ペリレン誘導体色素、ベンゾトリアゾール誘導体色素、ベンゾチアジアゾール誘導体色素、およびこれらの組み合わせから選択される。
【００２０】
一部の実施形態において、一般式Ｉ−ａ、Ｉ−ｂ、ＩＩ−ａ、ＩＩ−ｂ、ＩＩＩ−ａ、ＩＩＩ−ｂ、ＩＶおよびＶによって表される発色団は、波長変換フィルムをはじめとする様々な用途において蛍光色素として有用である。前記式で示されるように、前記色素は、一部の実施形態では、ベンゾ複素環系を含有する。一部の実施形態では、ペリレン誘導体色素を使用することがある。本発明の範囲を限定しない、使用することができる化合物のタイプに関するさらなる詳細および例は、下で説明する。
【００２１】
本明細書において用いる場合、「電子供与体基」は、２Ｈ−ベンゾ［ｄ］［１，２，３］トリアゾール系の電子密度を増加させる任意の基と定義する。
【００２２】
「電子供与体リンカー」は、２つの２Ｈ−ベンゾ［ｄ］［１，２，３］トリアゾール系を連結させてそれらのπ軌道の共役を生じさせることができる基であって、それらが結合される２Ｈ−ベンゾ［ｄ］［１，２，３］トリアゾールの電子密度を増加させることまたは該電子密度に対する中和効果を有することもできる任意の基と定義する。
【００２３】
「電子受容体基」は、２Ｈ−ベンゾ［ｄ］［１，２，３］トリアゾール系の電子密度を減少させる任意の基と定義する。２Ｈ−ベンゾ［ｄ］［１，２，３］トリアゾール系のＮ−２位での電子受容体基の置換。
【００２４】
用語「アルキル」は、分岐または直鎖完全飽和非環式脂肪族炭化水素基（すなわち、二重または三重結合を含有しない、炭素および水素で構成されたもの）を指す。アルキルには、メチル、エチル、プロピル、イソプロピル、ブチル、イソブチル、第三級ブチル、ペンチル、ヘキシル、およびこれらに類するものが含まれるが、それらに限定されない。
【００２５】
本明細書において用いる用語「ヘテロアルキル」は、１個以上のヘテロ原子を含有するアルキル基を指す。２個以上のヘテロ原子が存在するとき、それらは、同じであってもよいし、または異なってもよい。
【００２６】
本明細書において用いる用語「シクロアルキル」は、３から２０個の炭素原子を有する飽和脂肪族環系ラジカルを指し、シクロプロピル、シクロペンチル、シクロヘキシル、シクロヘプチル、およびこれらに類するものを含むが、それらに限定されない。
【００２７】
本明細書において用いる用語「アルケニル」は、炭素二重結合を含有する炭素原子数２から２０の一価直鎖または分岐鎖ラジカルを指し、１−プロペニル、２−プロペニル、２−メチル−１−プロペニル、１−ブテニル、２−ブテニル、およびこれらに類するものを含むが、それらに限定されない。
【００２８】
本明細書において用いる用語「アルキニル」は、炭素三重結合を含有する炭素原子数２から２０の一価直鎖または分岐鎖ラジカルを指し、１−プロピニル、１−ブチニル、２−ブチニル、およびこれらに類するものを含むが、それらに限定されない。
【００２９】
本明細書において用いる用語「アリール」は、１つの環であろうと、複数の縮合した環であろうと、単素環式芳香族ラジカルを指す。アリール基の例としては、フェニル、ナフチル、フェナントレニル、ナフタセニル、フルオレニル、ピレニル、およびこれらに類するものがあげられるが、それらに限定されない。さらなる例としては、次のものがあげられる：
【化１】
2015511256.tif 000003
【００３０】
本明細書において用いる用語「ヘテロアリール」は、１つの環であろうと、複数の縮合した環であろうと、１個以上のヘテロ原子を含有する芳香族基を指す。２個以上のヘテロ原子が存在するとき、それらは、同じであってもよいし、または異なってもよい。縮合環系の場合、前記１個以上のヘテロ原子は、それらの環のうちの１つだけに存在することもある。ヘテロアリール基の例としては、ベンゾチアジル、ベンゾオキサゾリル（ｂｅｎｚｏｘａｚｙｌ）、キナゾリニル、キノリニル、イソキノリニル、キノキサリニル、ピリジニル、ピロリル、オキサゾリル、インドリル、チアジルおよびこれらに類するものがあげられるが、それらに限定されない。
【００３１】
本明細書において用いる用語「アルカリール」または「アルキルアリール」は、アルキル置換アリールラジカルを指す。アルカリールの例としては、エチルフェニル、９，９−ジヘキシル−９Ｈ−フルオレン、およびこれらに類するものがあげられるが、それらに限定されない。
【００３２】
本明細書において用いる用語「アラルキル」または「アリールアルキル」は、アリール置換アルキルラジカルを指す。アラルキルの例としては、フェニルプロピル、フェニルエチル、およびこれらに類するものがあげられるが、それらに限定されない。
【００３３】
本明細書において用いる用語「ヘテロアリール」は、１つの環であろうと、複数の縮合した環であろうと、１個以上の環原子がヘテロ原子である芳香族環系ラジカルを指す。２個以上のヘテロ原子が存在するとき、それらは、同じであってもよいし、または異なってもよい。縮合環系の場合、前記１個以上のヘテロ原子は、それらの環のうちの１つだけに存在することもある。ヘテロアリール基の例としては、ベンゾチアジル、ベンゾオキサゾリル（ｂｅｎｚｏｘａｚｙｌ）、キナゾリニル、キノリニル、イソキノリニル、キノキサリニル、ピリジニル、ピリダジニル、ピリミジニル、ピラジニル、ピロリル、オキサゾリル、インドリル、およびこれらに類するものがあげられるが、それらに限定されない。置換および非置換ヘテロアリール環のさらなる例としては、次のものがあげられる：
【化２】
2015511256.tif 000004
【００３４】
本明細書において用いる用語「アルコキシ」は、親分子に−−Ｏ−−連結によって共有結合されている直鎖または分岐鎖アルキルラジカルを指す。アルコキシ基の例としては、メトキシ、エトキシ、プロポキシ、イソプロポキシ、ブトキシ、ｎ−ブトキシ、ｓｅｃ−ブトキシ、ｔ−ブトキシおよびこれらに類するものがあげられるが、それらに限定されない。
【００３５】
本明細書において用いる用語「ヘテロ原子」は、Ｓ（硫黄）、Ｎ（窒素）、およびＯ（酸素）を指す。
【００３６】
本明細書において用いる用語「環状アミノ」は、環状部分における第二級または第三級アミンを指す。環状アミノ基の例としては、アジリジニル、ピペリジニル、Ｎ−メチルピペリジニル、およびこれらに類するものがあげられるが、それらに限定されない。
【００３７】
本明細書において用いる用語「環状イミド」は、２個のカルボニル炭素が炭素鎖によって結合されているラジカルにおけるイミドを指す。環状イミド基の例としては、１，８−ナフタルイミド、ピロリジン−２，５−ジオン、１Ｈ−ピロール−２，５−ジオン、およびこれらに類するものがあげられるが、それらに限定されない。
【００３８】
本明細書において用いる用語「アリールオキシ」は、親分子に−−Ｏ−−連結によって共有結合されているアリールラジカルを指す。
【００３９】
本明細書において用いる用語「アシルオキシ」は、Ｒ−Ｃ（＝Ｏ）Ｏ−を指す。
【００４０】
本明細書において用いる用語「カルバモイル」は、−ＮＨＣ（＝Ｏ）Ｒを指す。
【００４１】
本明細書において用いる用語「ケト」および「カルボニル」は、Ｃ＝Ｏを指す。
【００４２】
本明細書において用いる用語「カルボキシ」は、−ＣＯＯＲを指す。
【００４３】
本明細書において用いる用語「エステル」は、−Ｃ（＝Ｏ）Ｏ−を指す。
【００４４】
本明細書において用いる用語「アミド」は、−ＮＲＣ（＝Ｏ）Ｒ’を指す。
【００４５】
本明細書において用いる用語「アミノ」は、−ＮＲ’Ｒ”を指す。
【００４６】
本明細書において用いる場合、置換されている基は、非置換親構造から誘導され、該親構造では１個以上の水素原子が別の原子または基と交換されている。置換されている場合、置換基（複数も可）は、Ｃ１−Ｃ６アルキル、Ｃ１−Ｃ６アルケニル、Ｃ１−Ｃ６アルキニル、Ｃ３−Ｃ７シクロアルキル（ハロ、アルキル、アルコキシ、カルボキシル、ハロアルキル、ＣＮ、−ＳＯ２−アルキル、−ＣＦ３、および−ＯＣＦ３で場合により置換されている）、ジェミナルに結合しているシクロアルキル、Ｃ１−Ｃ６ヘテロアルキル、Ｃ３−Ｃ１０ヘテロシクロアルキル（例えば、テトラヒドロフリル）（ハロ、アルキル、アルコキシ、カルボキシル、ＣＮ、−ＳＯ２−アルキル、−ＣＦ３、および−ＯＣＦ３で場合により置換されている）、アリール（ハロ、アルキル、Ｃ１−Ｃ６アルキルで場合により置換されているアリール、アリールアルキル、アルコキシ、アリールオキシ、カルボキシル、アミノ、イミド、アミド（カルバモイル）、場合により置換されている環状イミド、環状アミド、ＣＮ、−ＮＨ−Ｃ（＝Ｏ）−アルキル、−ＣＦ３、および−ＯＣＦ３で場合により置換されている）、アリールアルキル（ハロ、アルキル、アルコキシ、アリール、カルボキシル、ＣＮ、−ＳＯ２−アルキル、−ＣＦ３、および−ＯＣＦ３で場合により置換されている）、ヘテロアリール（ハロ、アルキル、アルコキシ、アリール、ヘテロアリール、アラルキル、カルボキシル、ＣＮ、−ＳＯ２−アルキル、−ＣＦ３、および−ＯＣＦ３で場合により置換されている）、ハロ（例えば、クロロ、ブロモ、ヨードおよびフルオロ）、シアノ、ヒドロキシ、場合により置換されている環状イミド、アミノ、イミド、アミド、−ＣＦ３、Ｃ１−Ｃ６アルコキシ、アリールオキシ、アシルオキシ、スルフヒドリル（メルカプト）、ハロ（Ｃ１−Ｃ６）アルキル、Ｃ１−Ｃ６アルキルチオ、アリールチオ、モノ−およびジ−（Ｃ１−Ｃ６）アルキルアミノ、第四級アンモニウム塩、アミノ（Ｃ１−Ｃ６）アルコキシ、ヒドロキシ（Ｃ１−Ｃ６）アルキルアミノ、アミノ（Ｃ１−Ｃ６）アルキルチオ、シアノアミノ、ニトロ、カルバモイル、ケト（オキシ）、カルボニル、カルボキシ、グリコリル、グリシル、ヒドラジノ、グアニル、スルファミル、スルホニル、スルフィニル、チオカルボニル、チオカルボキシ、スルホンアミド、エステル、Ｃ−アミド、Ｎ−アミド、Ｎ−カルバメート、Ｏ−カルバメート、尿素およびこれらの組み合わせから個々にかつ独立して選択される１つ以上の基（複数も可）である。置換基が「場合により置換されている」と記載されているときはいつでも、その置換基は、上記置換基で置換され得る。
【００４７】
（式Ｉ−ａおよびＩ−ｂ）
一部の実施形態は、下記の構造の一方を有する発色団を提供する：
【化３】
2015511256.tif 000005
（これらの式中、Ｄ１およびＤ２は、電子供与基であり、Ｌｉは、電子供与体リンカーであり、ならびにＡ０およびＡｉは、電子受容体基である）。一部の実施形態において、１つより多くの電子供与体基が存在する場合、その他の電子供与体基は、別の電子供与体、水素原子、または別の中性置換基によって占有されていることがある。一部の実施形態において、Ｄ１、Ｄ２およびＬｉのうちの少なくとも１つは、それが結合している２Ｈ−ベンゾ［ｄ］［１，２，３］トリアゾール系の電子密度を増加させる基である。
【００４８】
式Ｉ−ａおよびＩ−ｂにおいて、ｉは、０から１００の範囲の整数である。一部の実施形態において、ｉは、０から５０、０から３０、０から１０、０から５、または０から３の範囲の整数である。一部の実施形態において、ｉは、０、１、２、３、４、５、６、７、８、９または１０である。
【００４９】
式Ｉ−ａおよびＩ−ｂにおいて、Ａ０およびＡｉは、場合により置換されているアルキル、場合により置換されているアルケニル、場合により置換されているヘテロアルキル、場合により置換されているアリール、場合により置換されているヘテロアリール、場合により置換されているアミノ、場合により置換されているアミド、場合により置換されている環状アミド、場合により置換されている環状イミド、場合により置換されているアルコキシ、および場合により置換されているカルボキシ、および場合により置換されているカルボニルからなる群より各々独立して選択される。
【００５０】
一部の実施形態において、Ａ０およびＡｉは、場合により置換されているヘテロアリール、場合により置換されているアリール、場合により置換されている環状イミド、場合により置換されているＣ１―８アルキル、および場合により置換されているＣ１―８アルケニルからなる群より各々独立して選択され；前記場合により置換されているヘテロアリールについての置換基は、アルキル、アリールおよびハロゲンからなる群より選択され；前記場合により置換されているアリールについての置換基は、−ＮＲ１−Ｃ（＝Ｏ）Ｒ２または場合により置換されている環状イミドであり、前記Ｒ１およびＲ２は、上で説明したとおりである。
【００５１】
一部の実施形態において、Ａ０およびＡｉは、各々独立して、−ＮＲ１−Ｃ（＝Ｏ）Ｒ２および場合により置換されている環状イミドからなる群より選択される部分で置換されているフェニルであり、前記Ｒ１およびＲ２は、上で説明したとおりである。
【００５２】
一部の実施形態において、Ａ０およびＡｉは、各々、場合により置換されているヘテロアリールまたは場合により置換されている環状イミドであり、前記場合により置換されているヘテロアリールおよび場合により置換されている環状イミドについての置換基は、アルキル、アリールおよびハロゲンからなる群より選択される。一部の実施形態において、Ａ０およびＡｉの少なくとも一方は、場合により置換されているピリジニル、場合により置換されているピリダジニル、場合により置換されているピリミジニル、場合により置換されているピラジニル、場合により置換されているトリアジニル、場合により置換されているキノリニル、場合により置換されているイソキノリニル、場合により置換されているキナゾリニル、場合により置換されているフタラジニル、場合により置換されているキノキサリニル、場合により置換されているナフチリジニル、および場合により置換されているプリニルからなる群より選択される。
【００５３】
他の実施形態において、Ａ０およびＡｉは、各々、場合により置換されているアルキルである。他の実施形態において、Ａ０およびＡｉは、各々、場合により置換されているアルケニルである。一部の実施形態において、Ａ０およびＡｉの少なくとも一方は、次のものからなる群より選択される：
【化４】
2015511256.tif 000006
および
【化５】
2015511256.tif 000007
（これらの式中、Ｒは、場合により置換されているアルキルである）。
【００５４】
式Ｉ−ａおよびＩ−ｂにおいて、Ａ２は、場合により置換されているアルキレン、場合により置換されているアルケニレン、場合により置換されているアリーレン、場合により置換されているヘテロアリーレン、ケトン、エステル、および
【化６】
2015511256.tif 000008
（この式中のＡｒは、場合により置換されているアリールまたは場合により置換されているヘテロアリールである。Ｒ１は、Ｈ、アルキル、アルケニル、アリール、ヘテロアリール、アラルキル、アルカリールからなる群より選択され；およびＲ２は、場合により置換されているアルキレン、場合により置換されているアルケニレン、場合により置換されているアリーレン、場合により置換されているヘテロアリーレン、ケトン、およびエステルからなる群から選択され；またはＲ１およびＲ２は、環を形成するように互いに結合されていることがある）
からなる群より選択される。
【００５５】
一部の実施形態において、Ａ２は、場合により置換されているアリーレン、場合により置換されているヘテロアリーレン、および
【化７】
2015511256.tif 000009
（この式中、Ａｒ、Ｒ１およびＲ２は、上で説明したとおりである）
からなる群より選択される。
【００５６】
式Ｉ−ａおよびＩ−ｂにおいて、Ｄ１およびＤ２は、水素、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、環状アミド、および環状イミドからなる群より各々独立して選択されるが、ただし、Ｄ１およびＤ２はともに水素ではない。
【００５７】
一部の実施形態において、Ｄ１およびＤ２は、水素、場合により置換されているアリール、場合により置換されているヘテロアリール、およびアミノからなる群より各々独立して選択されるが、ただし、Ｄ１およびＤ２がともに水素ではない。一部の実施形態において、Ｄ１およびＤ２は、水素、場合により置換されているアリール、場合により置換されているヘテロアリール、およびジフェニルアミノからなる群より各々独立して選択されるが、ただし、Ｄ１およびＤ２がともに水素ではない。
【００５８】
一部の実施形態において、Ｄ１およびＤ２は、各々独立して、場合により置換されているアリールである。一部の実施形態において、Ｄ１およびＤ２は、各々独立して、アルコキシまたはアミノによって場合により置換されているフェニルである。他の実施形態において、Ｄ１およびＤ２は、水素、場合により置換されているベンゾフラニル、場合により置換されているチオフェニル、場合により置換されているフラニル、ジヒドロチエノジオキシニル、場合により置換されているベンゾチオフェニル、および場合により置換されているジベンゾチオフェニルから各々独立して選択されるが、ただし、Ｄ１およびＤ２がともに水素ではない。
【００５９】
一部の実施形態では、場合により置換されているアリールおよび場合により置換されているヘテロアリールについての置換基を、アルコキシ、アリールオキシ、アリール、ヘテロアリール、およびアミノからなる群より選択することができる。
【００６０】
式Ｉ−ａおよびＩ−ｂにおいて、Ｌｉは、場合により置換されているアルキレン、場合により置換されているアルケニレン、場合により置換されているアルキニレン、場合により置換されているアリーレン、場合により置換されているヘテロアリーレンからなる群より独立して選択される。一部の実施形態において、Ｌｉは、場合により置換されているヘテロアリーレンおよび場合により置換されているアリーレンからなる群より選択される。
【００６１】
一部の実施形態において、Ｌｉの少なくとも１つは、１，２−エチレン、アセチレン、１，４−フェニレン、１，１’−ビフェニル−４，４’−ジイル、ナフタレン−２，６−ジイル、ナフタレン−１，４−ジイル、９Ｈ−フルオレン−２，７−ジイル、ペリレンー３，９−ジイル、ペリレン−３，１０−ジイル、またはピレン−１，６−ジイル、１Ｈ−ピロール−２，５−ジイル、フラン−２，５−ジイル、チオフェン−２，５−ジイル、チエノ［３，２−ｂ］チオフェン−２，５−ジイル、ベンゾ［ｃ］チオフェン−１，３−ジイル、ジベンゾ［ｂ，ｄ］チオフェン−２，８−ジイル、９Ｈ−カルバゾール（ｃａｒｂｏｚｏｌｅ）−３，６−ジイル、９Ｈ−カルバゾール（ｃａｒｂｏｚｏｌｅ）−２，７−ジイル、ジベンゾ［ｂ，ｄ］フラン−２，８−ジイル、１０Ｈ−フェノチアジン−３，７−ジイル、および１０Ｈ−フェノチアジン−２，８−ジイルからなる群より選択され、前記各々の部分は、場合により置換されている。
【００６２】
（式ＩＩ−ａおよびＩＩ−ｂ）
一部の実施形態は、下記の構造の一方を有する発色団を提供する：
【化８】
2015511256.tif 000010
（これらの式中、ｉは、０から１００の範囲の整数である）。一部の実施形態において、ｉは、０から５０、０から３０、０から１０、０から５、または０から３の範囲の整数である。一部の実施形態において、ｉは、０、１、２、３、４、５、６、７、８、９または１０である。
【００６３】
式ＩＩ−ａおよびＩＩ−ｂにおいて、Ａｒは、場合により置換されているアリールまたは場合により置換されているヘテロアリールである。一部の実施形態において、２Ｈ−ベンゾ［ｄ］［１，２，３］トリアゾール環系のＮ−２位においてアミドまたは環状イミドで置換されたアリールは、予想外の改善された恩恵をもたらす。
【００６４】
式ＩＩ−ａおよびＩＩ−ｂにおいて、Ｒ４は、
【化９】
2015511256.tif 000011
または場合により置換されている環状イミドであり；Ｒ１は、Ｈ、アルキル、アルケニル、アリール、ヘテロアリール、アラルキル、アルカリールからなる群より各々独立して選択され；Ｒ３は、場合により置換されているアルキル、場合により置換されているアルケニル、場合により置換されているアリール、場合により置換されているヘテロアリールからなる群より各々独立して選択され；またはＲ’およびＲ”は、環を形成するように互いに結合されていることがある。
【００６５】
一部の実施形態において、Ｒ４は、
【化１０】
2015511256.tif 000012
および
【化１１】
2015511256.tif 000013
からなる群より選択される、場合により置換されている環状イミドであり；これらの式中のＲ’は、各々、場合により置換されているアルキルまたは場合により置換されているアリールであり；およびＸは、場合により置換されているヘテロアルキルである。
【００６６】
式ＩＩ−ａおよびＩＩ−ｂにおいて、Ｒ２は、場合により置換されているアルキレン、場合により置換されているアルケニレン、場合により置換されているアリーレン、場合により置換されているヘテロアリーレンからなる群より選択される。
【００６７】
式ＩＩ−ａおよびＩＩ−ｂにおいて、Ｄ１およびＤ２は、水素、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、環状アミド、および環状イミドからなる群より各々独立して選択されるが、ただし、Ｄ１およびＤ２がともに水素ではない。
【００６８】
式ＩＩ−ａおよびＩＩ−ｂにおいて、Ｌｉは、場合により置換されているアルキレン、場合により置換されているアルケニレン、場合により置換されているアルキニレン、場合により置換されているアリーレン、場合により置換されているヘテロアリーレンからなる群より独立して選択される。
【００６９】
一部の実施形態において、Ｌｉの少なくとも１つは、１，２−エチレン、アセチレン、１，４−フェニレン、１，１’−ビフェニル−４，４’−ジイル、ナフタレン−２，６−ジイル、ナフタレン−１，４−ジイル、９Ｈ−フルオレン−２，７−ジイル、ペリレンー３，９−ジイル、ペリレン−３，１０−ジイル、またはピレン−１，６−ジイル、１Ｈ−ピロール−２，５−ジイル、フラン−２，５−ジイル、チオフェン−２，５−ジイル、チエノ［３，２−ｂ］チオフェン−２，５−ジイル、ベンゾ［ｃ］チオフェン−１，３−ジイル、ジベンゾ［ｂ，ｄ］チオフェン−２，８−ジイル、９Ｈ−カルバゾール（ｃａｒｂｏｚｏｌｅ）−３，６−ジイル、９Ｈ−カルバゾール（ｃａｒｂｏｚｏｌｅ）−２，７−ジイル、ジベンゾ［ｂ，ｄ］フラン−２，８−ジイル、１０Ｈ−フェノチアジン−３，７−ジイル、および１０Ｈ−フェノチアジン−２，８−ジイルからなる群より選択され、前記各部分は、場合により置換されている。
【００７０】
（式ＩＩＩ−ａおよびＩＩＩ−ｂ）
一部の実施形態は、下記の構造のうちの一方を有する発色団を提供する：
【化１２】
2015511256.tif 000014
式（ＩＩＩ−ａ）および（ＩＩＩ−ｂ）中の２Ｈ−ベンゾ［ｄ］［１，２，３］トリアゾール環系のＮ−２位におけるアルキル基の配置は、Ｃ−４およびＣ−７位における置換フェノールと一緒になって、予想外の改善された恩恵をもたらす。式ＩＩＩ−ａおよびＩＩＩ−ｂにおいて、ｉは、０から１００の範囲の整数である。一部の実施形態において、ｉは、０から５０、０から３０、０から１０、０から５、または０から３の範囲の整数である。一部の実施形態において、ｉは、０、１、２、３、４、５、６、７、８、９または１０である。
【００７１】
式ＩＩＩ−ａおよびＩＩＩ−ｂにおいて、Ａ０およびＡｉは、場合により置換されているアルキル、場合により置換されているアルケニル、場合により置換されているヘテロアルキル、場合により置換されているアミド、場合により置換されているアルコキシ、場合により置換されているカルボニル、および場合により置換されているカルボキシからなる群より各々独立して選択される。
【００７２】
一部の実施形態において、Ａ０およびＡｉは、各々独立して、非置換アルキルであるか、−ＮＲＲ”、−ＯＲ、−ＣＯＯＲ、−ＣＯＲ、−ＣＯＮＨＲ、−ＣＯＮＲＲ”、ハロ、および−ＣＮからなる群より選択される部分によって置換されているアルキルであり；前記Ｒは、Ｃ１−Ｃ２０アルキルであり、および前記Ｒ”は、水素またはＣ１−Ｃ２０アルキルである。一部の実施形態において、前記場合により置換されているアルキルは、場合により置換されているＣ１−Ｃ４０アルキルであってもよい。一部の実施形態において、Ａ０およびＡｉは、各々独立して、Ｃ１−Ｃ４０アルキルまたはＣ１−Ｃ２０ハロアルキルである。
【００７３】
一部の実施形態において、Ａ０およびＡｉは、各々独立して、Ｃ１−Ｃ２０ハロアルキル、Ｃ１−Ｃ４０アリールアルキル、またはＣ１−Ｃ２０アルケニルである。
【００７４】
式ＩＩＩ−ａおよびＩＩＩ−ｂにおいて、各Ｒ５は、場合により置換されているアルコキシ、場合により置換されているアリールオキシ、場合により置換されているアシルオキシ、およびアミノからなる群より独立して選択される。一部の実施形態において、Ｒ５は、フェニル環のオルト位に結合していることもあり、および／またはパラ位に結合していることもある。一部の実施形態において、Ｒ５は、式ＯＣｎＨ２ｎ＋１（式中、ｎ＝１〜４０）によって表されるアルコキシであってもよい。一部の実施形態において、Ｒ５は、次の式によって表されるアリールオキシであってもよい：ＡｒＯまたはＯ−ＣＲ−ＯＡｒ（式中、Ｒは、アルキル、置換アルキル、アリール、またはヘテロアリールであり、およびＡｒは、任意の置換もしくは非置換アリール、または置換もしくは非置換ヘテロアリールである）。一部の実施形態において、Ｒ５は、式ＯＣＯＣｎＨ２ｎ＋１（式中、ｎ＝１〜４０）によって表されるアシルオキシであってもよい。
【００７５】
式ＩＩＩ−ａおよびＩＩＩ−ｂにおいて、Ａ２は、場合により置換されているアルキレン、場合により置換されているアルケニレン、場合により置換されているアリーレン、場合により置換されているヘテロアリーレン、ケトン、エステル、および
【化１３】
2015511256.tif 000015
（式中、Ａｒは、場合により置換されているアリールまたは場合により置換されているヘテロアリールであり、Ｒ１は、Ｈ、アルキル、アルケニル、アリール、ヘテロアリール、アラルキル、アルカリールからなる群より選択され；およびＲ２は、場合により置換されているアルキレン、場合により置換されているアルケニレン、場合により置換されているアリーレン、場合により置換されているヘテロアリーレン、ケトンおよびエステルからなる群より選択され；またはＲ１およびＲ２は、環を形成するように互いに結合されていてもよい）
からなる群より選択される。
【００７６】
式ＩＩＩ−ａおよびＩＩＩ−ｂにおいて、Ｌｉは、場合により置換されているアルキレン、場合により置換されているアルケニレン、場合により置換されているアルキニレン、場合により置換されているアリーレン、場合により置換されているヘテロアリーレンからなる群より独立して選択される。
【００７７】
一部の実施形態において、Ｌｉの少なくとも１つは、１，２−エチレン、アセチレン、１，４−フェニレン、１，１’−ビフェニル−４，４’−ジイル、ナフタレン−２，６−ジイル、ナフタレン−１，４−ジイル、９Ｈ−フルオレン−２，７−ジイル、ペリレンー３，９−ジイル、ペリレン−３，１０−ジイル、またはピレン−１，６−ジイル、１Ｈ−ピロール−２，５−ジイル、フラン−２，５−ジイル、チオフェン−２，５−ジイル、チエノ［３，２−ｂ］チオフェン−２，５−ジイル、ベンゾ［ｃ］チオフェン−１，３−ジイル、ジベンゾ［ｂ，ｄ］チオフェン−２，８−ジイル、９Ｈ−カルバゾール（ｃａｒｂｏｚｏｌｅ）−３，６−ジイル、９Ｈ−カルバゾール（ｃａｒｂｏｚｏｌｅ）−２，７−ジイル、ジベンゾ［ｂ，ｄ］フラン−２，８−ジイル、１０Ｈ−フェノチアジン−３，７−ジイル、および１０Ｈ−フェノチアジン−２，８−ジイルからなる群より選択され、前記各部分は、場合により置換されている。
【００７８】
（式ＩＶ）
一部の実施形態は、下記の構造を有する発色団を提供する：
【化１４】
2015511256.tif 000016
（式中、ｉは、０から１００の範囲の整数である）。一部の実施形態において、ｉは、０から５０、０から３０、０から１０、０から５、または０から３の範囲の整数である。一部の実施形態において、ｉは、０、１、２、３、４、５、６、７、８、９または１０である
【００７９】
式ＩＶにおいて、ＺおよびＺｉは、−Ｏ−、−Ｓ−、−Ｓｅ−、−Ｔｅ−、−ＮＲ６−、−ＣＲ６＝ＣＲ６−、および−ＣＲ６＝Ｎ−からなる群より各々独立して選択され、前記Ｒ６は、水素、場合により置換されているＣ１−Ｃ６アルキル、または場合により置換されているＣ１−Ｃ１０アリールである；および
【００８０】
式ＩＶにおいて、Ｄ１およびＤ２は、場合により置換されているアルコキシ、場合により置換されているアリールオキシ、場合により置換されているアシルオキシ、場合により置換されているアルキル、場合により置換されているアリール、場合により置換されているヘテロアリール、場合により置換されているアミノ、アミド、環状アミド、および環状イミドからなる群より独立して選択され；ｊは、０、１または２であり、およびｋは、０、１または２である。一部の実施形態において、−Ｃ（＝Ｏ）Ｙ１および−Ｃ（＝Ｏ）Ｙ２基は、Ｄ１およびＤ２についての場合により置換されている部分の置換基（複数も可）に結合していることがある。
【００８１】
式ＩＶにおいて、Ｙ１およびＹ２は、場合により置換されているアリール、場合により置換されているアルキル、場合により置換されているシクロアルキル、場合により置換されているアルコキシ、および場合により置換されているアミノからなる群より独立して選択され；および
【００８２】
式ＩＶにおいて、Ｌｉは、場合により置換されているアルキレン、場合により置換されているアルケニレン、場合により置換されているアルキニレン、場合により置換されているアリーレン、場合により置換されているヘテロアリーレンからなる群より独立して選択される。
【００８３】
一部の実施形態において、Ｌｉの少なくとも１つは、１，２−エチレン、アセチレン、１，４−フェニレン、１，１’−ビフェニル−４，４’−ジイル、ナフタレン−２，６−ジイル、ナフタレン−１，４−ジイル、９Ｈ−フルオレン−２，７−ジイル、ペリレンー３，９−ジイル、ペリレン−３，１０−ジイル、またはピレン−１，６−ジイル、１Ｈ−ピロール−２，５−ジイル、フラン−２，５−ジイル、チオフェン−２，５−ジイル、チエノ［３，２−ｂ］チオフェン−２，５−ジイル、ベンゾ［ｃ］チオフェン−１，３−ジイル、ジベンゾ［ｂ，ｄ］チオフェン−２，８−ジイル、９Ｈ−カルバゾール（ｃａｒｂｏｚｏｌｅ）−３，６−ジイル、９Ｈ−カルバゾール（ｃａｒｂｏｚｏｌｅ）−２，７−ジイル、ジベンゾ［ｂ，ｄ］フラン−２，８−ジイル、１０Ｈ−フェノチアジン−３，７−ジイル、および１０Ｈ−フェノチアジン−２，８−ジイルからなる群より選択され、前記各部分は、場合により置換されている。
【００８４】
上記の式のいずれにおいても、Ｌｉに関して、電子リンカーは、共役電子系を表し、該共役電子系は、中性であることもあり、またはそれ自体が電子供与体としての役割を果たすこともある。一部の実施形態における幾つかの例を下に提供する。これらは、追加の結合されている置換基を含有することもあり、しないこともある。
【化１５】
2015511256.tif 000017
【００８５】
（式Ｖ−ａおよびＶ−ｂ）
一部の実施形態は、次の一般式（Ｖ−ａ）または一般式（Ｖ−ｂ）によって表されるペリレンジエステル誘導体を提供する：
【化１６】
2015511256.tif 000018
（これらの式において、式（Ｖ−ａ）中のＲ１およびＲ１’は、水素、Ｃ１−Ｃ１０アルキル、Ｃ３−Ｃ１０シクロアルキル、Ｃ１−Ｃ１０アルコキシ、Ｃ６−Ｃ１８アリール、およびＣ６−Ｃ２０アラルキルからなる群より各々独立して選択され；式（Ｖ−ａ）中のｍおよびｎは、各々独立して、１から５の範囲であり；ならびに式（Ｖ−ｂ）中のＲ２およびＲ２’は、Ｃ６−Ｃ１８アリールおよびＣ６−Ｃ２０アラルキルからなる群より各々独立して選択される）。一部の実施形態において、式（Ｖ−ｂ）上のシアノ基の一方がペリレン環の４位に存在する場合、他方のシアノ基は、そのペリレン環の１０位には存在しない。一部の実施形態において、式（Ｖ−ｂ）上のシアノ基の一方がペリレン環の１０位に存在する場合、他方のシアノ基は、そのペリレン環の４位には存在しない。
【００８６】
一部の実施形態において、Ｒ１およびＲ１’は、水素、Ｃ１−Ｃ６アルキル、Ｃ２−Ｃ６アルコキシアルキル、およびＣ６−Ｃ１８アリールからなる群より独立して選択される。一部の実施形態において、Ｒ１およびＲ１’は、イソプロピル、イソブチル、イソヘキシル、イソオクチル、２−エチル−ヘキシル、ジフェニルメチル、トリチル、およびジフェニルからなる群より各々独立して選択される。一部の実施形態において、Ｒ２およびＲ２’は、ジフェニルメチル、トリチル、およびジフェニルからなる群より独立して選択される。一部の実施形態において、式（Ｖ−ａ）中の各ｍおよびｎは、独立して、１から４の範囲である。
【００８７】
一般式（Ｖ−ａ）または一般式（Ｖ−ｂ）によって表されるペリレンジエステル誘導体を、国際公開第２０１２／０９４４０９号パンフレット（この内容は、それら全体が参照により本明細書に援用されている）に記載されているものなどの公知の方法によって作ることができる。
【００８８】
一部の実施形態において、前記少なくとも１つの光安定性発色団は、前記感圧接着剤層のポリマーマトリックス中に、該ポリマーマトリックスの重量にして、約０．０１重量％から約１０．０重量％の範囲の量で存在する。一部の実施形態において、前記少なくとも１つの光安定性発色団は、前記感圧接着剤層のポリマーマトリックス中に、該ポリマーマトリックスの重量にして、約０．０１重量％から約３．０重量％の範囲の量で存在する。一部の実施形態において、前記少なくとも１つの光安定性発色団は、前記感圧接着剤層のポリマーマトリックス中に、該ポリマーマトリックスの重量にして、約０．０５重量％から約２．０重量％の範囲の量で存在する。一部の実施形態において、前記少なくとも１つの発色団は、前記感圧接着剤層のポリマーマトリックス中に、該ポリマーマトリックスの重量にして、約０．１重量％から約１．０重量％の範囲の量で存在する。
【００８９】
一部の実施形態において、前記感圧接着剤層は、１つより多くの発色団、例えば、少なくとも２つの異なる発色団を含有する。前記テープを付着させることになるソーラーモジュールによっては、前記感圧接着剤層中に複数の光安定性発色団を有することが望ましいことがある。例えば、約５００ｎｍ波長で最適な光電変換を有するソーラー・モジュール・システムでは、他の波長の光子を５００ｎｍ波長へと変換することによって、かかるシステムの効率を改善することができる。かかる場合、第一の光安定性発色団は、約４００ｎｍから約４５０ｎｍの範囲の波長を有する光子を約５００ｎｍの波長の光子に変換するように作用することができ、および第二の光安定性発色団は、約４５０ｎｍから約４７５ｎｍの範囲の波長を有する光子を約５００ｎｍの波長の光子に変換するように作用することができる。用いる発色団（単数または複数）に基づいて、特定の波長制御を選択することができる。
【００９０】
一部の実施形態では、同じ層内に、例えば感圧接着剤層中などに、２つ以上の発色団を一緒に混入させる。一部の実施形態では、２つ以上の発色団を前記波長変換テープ内の別々の層または下層に配置する。例えば、前記感圧接着剤層は、第一の発色団を含有することができ、および前記基材と前記感圧接着剤層の間の追加のポリマー下層は、第二の発色団を含有することができる。
【００９１】
発色団は、上方変換性である場合もあり、または下方変換性である場合もある。一部の実施形態において、前記少なくとも１つの発色団は、上方変換発色団であることがあり、これは、光子をより低エネルギー（長波長）からより高エネルギー（短波長）へと変換する発色団を意味する。一部の実施形態において、前記少なくとも１つの発色団は、ダウンシフト発色団であることがあり、これは、高エネルギー（短波長）の光子をより低エネルギー（長波長）へと変換する発色団を意味する。一部の実施形態において、前記波長変換テープは、上方変換発色団とダウンシフト発色団の両方を含有する。
【００９２】
様々なタイプの接着剤を前記感圧接着剤層に使用することができる。一部の実施形態において、前記感圧接着剤層中の接着性高分子材料は、ゴム、アクリル樹脂、シリコーン、ビニルアルキルエーテル、ポリエステル、ポリアミド、ウレタン、フッ素、エポキシ、エチレン酢酸ビニル、およびこれらの組み合わせからなる群より選択される物質を含有する。一部の実施形態では、架橋剤を使用して前記感圧接着剤層のポリマーマトリックスを架橋させる。前記感圧接着剤は、永久的なものである場合もあり、または非永久的なものである場合もある。
【００９３】
前記感圧接着型の波長変換テープは、様々な追加の成分を含有することがある。一部の実施形態において、前記テープの組成物は、次のもののうちのいずれか１つ以上をさらに含有する：様々な増粘剤、例えば、フェノール樹脂、テルペン−フェノール樹脂、テルペン樹脂、キシレン樹脂、ロジンおよび水素化樹脂、無機フィラー、例えば炭酸カルシウムおよびカーボンブラック、潤滑剤、老化防止剤、色素、着色剤、顔料、界面活性剤、可塑剤、消泡剤、難燃剤、光安定剤、揺変剤、紫外線吸収剤、低分子量ポリマー、酸化防止剤、耐熱安定剤、金属粉末、重合抑制剤、およびこれらの任意の混合物。
【００９４】
好ましくは、前記感圧接着剤層、前記基材のいずれか、または両方において使用する材料は、約１．４から約１．７の範囲の屈折率を有する。一部の実施形態において、前記感圧接着剤層、前記基材のいずれか、または両方において使用する材料の屈折率は、約１．４５から約１．５５の範囲である。
【００９５】
前記感圧接着型の波長変換テープの合成方法は限定されないが、下で説明する合成手順に従うことができる。波長変換特性を有さない、感圧接着型のテープを形成するための手順は文献に記載されており、例えば、米国特許第７，８６７，６０１号および同第７，８８７，９１４号明細書を参照されたし。感圧接着型の波長変換テープの形成方法は、感圧接着剤層を形成するために使用される組成物へのルミネセンス色素の添加、ならびに該テープの波長変換の完全性を保証するために必要とされる任意の追加の成分および／またはプロセスを除き、これらの特許に記載されているものに類似した方法に従うことができる。例えば、一部の実施形態については、熱により前記発色団化合物が分解されることもあるので、低温加工処理のみを用いて前記テープを形成することができる。また、一部の実施形態については、前記発色団と反応しないおよび／または前記発色団を分解しない溶剤のみを使用して前記テープを形成することができる。
【００９６】
一部の実施形態では、溶剤を使用して公知の接着性高分子材料をポリマー溶液に溶解することによって、感圧接着剤層を形成する。高分子感圧接着剤としては、例えば、ゴム、アクリル樹脂、シリコーン、ビニルアルキルエーテル、ポリエステル、ポリアミド、ウレタン、フッ素、エポキシ、エチレン酢酸ビニル、またはこれらの混合物をあげることができる。
【００９７】
前記感圧接着剤を含有するポリマー溶液を形成するために使用する溶剤の例としては、芳香族炭化水素溶剤、例えば、トルエンおよびキシレン；脂肪族カルボン酸エステル溶剤、例えば、酢酸エチルおよび酢酸ブチル；脂肪族炭化水素溶剤、例えば、ヘキサン、ヘプタンおよびオクタン；ならびにケトン溶剤、例えば、アセトン、メチルエチルケトンおよびメチルイソブチルケトン；ならびにジオキサン、アニソール、テトラクロロエチレンおよびシクロペンタノンなどの溶剤があげられる。これらの溶剤を単独で使用してもよいし、またはそれらの２つ以上を混合することによって使用してもよい。
【００９８】
前記ポリマー溶液中の溶剤の百分率での含有量は、通常、約１０から８０重量％である。１つ以上のルミネセンス色素を前記ポリマー溶液に、前記ポリマーマトリックスの重量にして、０．０１重量％から１０．０重量％の各発色団量で添加することができる。
【００９９】
上述の成分に加えて、次のものを前記ポリマー溶液中の任意選択成分として適宜使用することができる：様々な増粘剤、例えば、フェノール樹脂、テルペン−フェノール樹脂、テルペン樹脂、キシレン樹脂、ロジンおよび水素化ロジン、無機フィラー、例えば、炭酸カルシウムおよびカーボンブラック、潤滑剤、老化防止剤、色素、着色剤、顔料、界面活性剤、可塑剤、消泡剤、難燃剤、光安定剤、揺変剤、紫外線吸収剤、低分子量ポリマー、表面潤滑剤、レベリング剤、酸化防止剤、重合抑制剤、耐熱安定剤、耐加水分解安定剤、金属粉末、および顆粒状または箔状物質。これらの任意選択成分を単独で使用してもよいし、またはそれらの２つ以上を混合することによって使用してもよい。
【０１００】
前記感圧接着剤の適用方法は特に限定されず、通常用いられる方法から適宜選択することができる。例えば、一部の実施形態では、コーターを使用して、前記感圧接着剤の溶液を前記基材に塗布し、そしてその後、そこから溶剤を除去し、それにより感圧接着剤層を形成することができる。一部の実施形態では、架橋剤を前記感圧接着剤のポリマー溶液に添加し、そしてその後、結果として生じたものを加熱し、架橋させて、その中の感圧接着性ポリマーを硬化させ、それにより感圧接着剤層を形成することができる。
【０１０１】
一部の実施形態において、本発明において使用する架橋剤は、イソシアネート化合物、エポキシ化合物、メラミン系樹脂、アジリジン誘導体、金属キレート化合物、またはこれらに類するものであり得る。イソシアネートまたはエポキシ化合物は、該化合物が適切な凝集力をもたらすので、特に好ましい。ポリマーの生成時に、そのポリマーをヒドロキシル含有モノマー、例えば、２−ヒドロキシエチルアクリレートと共重合させて、そのポリマーにヒドロキシル基を導入し、そしてその後、ポリイソシアネート化合物を架橋剤としてこのポリマーに使用することが、特に好ましい。これらの化合物を単独で使用してもよいし、またはそれらの２つ以上を混合することによって使用してもよい。
【０１０２】
前記イソシアネート化合物の例としては、低級脂肪族（ｌｏｗ  ａｌｉｐｈａｔｉｃ）ポリイソシアネート、例えば、ブチレンジイソシアネートおよびヘキサメチレンジイソシアネート；脂環式イソシアネート、例えば、シクロペンチレンジイソシアネート、シクロヘキシレンジイソシアネートおよびイソホロンジイソシアネート；芳香族イソシアネート、例えば、２，４−トリレンジイソシアネート、４，４’−ジフェニルメタンジイソシアネートおよびキシリレンジイソシアネート；イソシアネート付加物、例えば、トリメチロールプロパン／トリレンジイソシアネート三量体付加物、トリメチロールプロパン／ヘキサメチレンジイソシアネート三量体付加物、およびヘキサメチレンジイソシアネートのイソシアヌレート生成物；ならびにポリオールへのジイソシアネート付加物があげられる。これらの化合物を単独で使用してもよいし、またはそれらの２つ以上を混合することによって使用してもよい。
【０１０３】
エポキシの例としては、Ｎ，Ｎ，Ｎ’，Ｎ’−テトラグリシジル−ｍ−キシレンジアミン、および１，３−ビス（Ｎ，Ｎ−ジグリシジルアミノメチル）シクロヘキサンがあげられる。これらの化合物を単独で使用してもよいし、またはそれらの２つ以上を混合することによって使用してもよい。
【０１０４】
メラミン系樹脂の一例は、ヘキサメチロールメラミンである。
【０１０５】
アジリジン誘導体の例としては、Ｓｏｇｏ  Ｐｈａｒｍａｃｅｕｔｉｃａｌ  Ｃｏ．，Ｌｔｄ．によって製造されている市販製品（商品名：ＨＤＵ、ＴＡＺＭおよびＴＡＺＯ）があげられる。これらの化合物を単独で使用してもよいし、またはそれらの２つ以上を混合することによって使用してもよい。
【０１０６】
金属キレート化合物の例としては、その金属成分がアルミニウム、鉄、スズ、チタンまたはニッケルであり、およびそのキレート成分がアセチレン、メチルアセトアセテートまたはエチルラクテートである化合物があげられる。これらの化合物を単独で使用してもよいし、またはそれらの２つ以上を混合することによって使用してもよい。
【０１０７】
本発明において使用する架橋剤の含有量は、通常、（メタ）アクリレート系ポリマーなどのベースポリマーの１００重量部に対して約０．０１から５重量部である。
【０１０８】
本発明において使用する感圧接着剤層の厚みは、その接着剤層を乾燥させた後、好ましくは約１μｍから約５００μｍ、さらに好ましくは約１００μｍから約２００μｍである。前記厚みが１μｍ未満である場合、被着物に対する接着力は不十分である。前記厚みが約５００μｍを超える場合、その接着力は飽和に達し、その結果、経済性が失われる。その上、接着剤が押し出されるか、凝集破壊が引き起こされ、その結果、そのテープを容易に剥がせなくなる。
【０１０９】
前記テープの感圧接着剤層の形成方法は、特に限定されない。一部の実施形態では、前記層を、例えば、前記感圧接着剤を前記基材上に塗布し、乾燥させ、その中の重合溶剤および他のものを除去して、その基材上に感圧接着剤層を形成する方法、または前記感圧接着剤を別の基材上に塗布し、乾燥させ、その中の重合溶剤および他のものを除去し、そしてその後、前記テープの基材層上にその感圧接着剤層を移す／形成する方法によって形成する。感圧接着剤層の形成後、その感圧接着剤層中の成分のシフトの調整、架橋反応の調整、およびその他のために、その層を硬化させることができる。前記感圧接着剤を前記基材に塗布して感圧接着テープを形成するとき、重合溶剤以外の１つ以上の溶剤を組成物に新たに添加してもよく、その結果、その接着剤をその基材上に均等に塗布することができる。
【０１１０】
一部の実施形態では、前記感圧接着剤層の形成方法を、感圧接着剤層の生成に用いられる公知の方法から適宜選択することができる。その具体的な例としては、ロールコーティング、キス・ロール・コーティング、グラビアコーティング、リバースコーティング、ロール・ブラシ・コーティング、スプレーコーティング、ディップ・ロール・コーティング、バーコーティング、ナイフコーティング、およびエア・ナイフ・コーティングがあげられる。
【０１１１】
一部の実施形態において、本発明の感圧接着型の波長変換テープは、例えば、基材および感圧接着剤を含み、前記接着剤が前記基材上に積層されているテープである。
【０１１２】
必要ならば、前記基材を、例えば、シリコーンタイプ、フッ素含有タイプ、長鎖アルキルタイプもしくは脂肪酸アミドタイプの剥離剤、またはシリカ粉末での剥離または防汚処理、接着促進処理、例えば、酸処理、アルカリ処理、プライマー処理、アンカーコート処理、コロナ処理、プラズマ処理または紫外線処理、あるいは静電防止処理、例えば、コーティングタイプ、混錬タイプまたは蒸着タイプの処理に付すことができる。
【０１１３】
一部の実施形態において、前記基材層は、ポリマー材料を含有することがある。一部の実施形態において、前記基材は、光学的に透明である。一部の実施形態において、前記基材層は、ポリマーマトリックスを含有する。一部の実施形態において、前記基材層のポリマーマトリックスは、ポリエチレン、ポリプロピレン、ポリエステル、ポリアミド、ポリカーボネート、ポリメチルメタクリレート、ポリビニルブチラール、エチレン酢酸ビニル、エチレンテトラフルオロエチレン、ポリイミド、ポリスチレン、シロキサンゾル−ゲル、ポリウレタン、ポリアクリレート、およびこれらの組み合わせからなる群より選択される物質から形成される。一部の実施形態において、前記基材の厚みは、約１０μｍと約１ｍｍの間である。
【０１１４】
感圧接着型の波長変換テープは、除去可能なライナーをさらに含むことがあり、この除去可能なライナーは、感圧接着剤層上に貼りつけられており、そしてその感圧接着剤層の表面を使用するときに適宜除去される。本発明において使用する除去可能なライナーは、除去可能なライナーとしてこれまで使用されてきた部材から、一切の特別な制限なく、適宜選択することができる。前記除去可能なライナーの具体的な例としては、プラスチックフィルム、例えば、ポリエチレン、ポリプロピレン、ポリエチレンテレフタレートおよびポリエステルフィルム；紙製品、例えば、グラシン紙、コート紙、および積層加工紙製品；多孔質材料シート、例えば、布地および不織布シート；ならびに様々な薄い物体、例えば、ネット、発泡シート、金属箔、およびそれらの積層物があげられる。前記プラスチックフィルムのいずれか１つを好ましくは使用する。それは表面平坦性および平滑性が優れているからである。前記フィルムは、そのフィルムが前記感圧接着剤層を保護することができれば、特別な種類に限定されることはない。一部の実施形態において、前記除去可能なライナーは、フルオロポリマー、ポリエチレンテレフタレート、ポリエチレン、ポリプロピレン、ポリエステル、ポリブテン、ポリブタジエン、ポリメチルペンテン、ポリ塩化ビニル、塩化ビニルコポリマー、ポリブチレンテレフタレート（ｐｏｌｙｂｕｔａｌｅｎｅ  ｔｅｒｅｐｔｈａｌａｔｅ）、ポリウレタン、エチレン・酢酸ビニル、グラシン紙、コート紙、積層加工紙、布地、不織布シート、または金属箔から選択される材料からなる。一部の実施形態において、前記除去可能なライナーの厚みは、約１０μｍと約１００μｍの間である。
【０１１５】
前記感圧接着型の波長変換テープの総厚みを、本明細書に記載する個々のフィルム各々の厚みを合算することによって表すことができる。一部の実施形態において、前記波長変換テープの厚みは、約１０μｍから約２ｍｍの範囲である。一部の実施形態において、前記波長変換テープの厚みは、約１μｍから約５ｍｍの範囲である。一部の実施形態において、前記波長変換フィルムの厚みは、約５０μｍから約１ｍｍの範囲である。
【０１１６】
前記感圧接着型の波長変換テープは、追加の層も含むことがある。例えば、追加のポリマーフィルム、または接着剤層を含めることができる。一部の実施形態において、前記テープは、高エネルギー照射を遮断して前記発色団化合物の光分解を防止するように作用することができる、ＵＶ吸収剤を含有する追加のポリマー層をさらに含む。ソーラーモジュールの光電変換効率をさらに向上させるために、他の層を含めることもできる。例えば、前記テープは、吸収および波長変換後にソーラー・モジュール・デバイスの光電変換層から遠ざかる方向に発色団から再び放出されることが多い光子の環境への損失を減少させることによってそのソーラーモジュールの太陽光捕集効率をさらに向上させるように設計されているマイクロ構造層を、基材層の上にまたは基材と感圧接着剤層の間にさらに有することができる。前記表面上の様々なマイクロ構造（すなわち、角錐または円錐）を有する層は、前記デバイスの光電変換層内への光子の内部反射および屈折を増加させて、前記デバイスの太陽光捕集効率をさらに向上させることができる。前記感圧接着型の波長変換テープに追加の層を組み込むこともできる。
【０１１７】
図１に示すような一部の実施形態において、前記感圧接着型の波長変換テープは、基材１００と、感圧接着剤層１０１とを含み、前記感圧接着剤層は、接着性高分子材料と少なくとも１つのルミネセンス色素１０２とを含有する。
【０１１８】
図２に示すような一部の実施形態において、前記感圧接着型の波長変換テープは、基材１００と、感圧接着剤層１０１と、除去可能なライナー１０３とを含み、前記感圧接着剤層は、接着性高分子材料と少なくとも１つのルミネセンス色素１０２を含む。
【０１１９】
図３に示すような一部の実施形態において、前記感圧接着型の波長変換テープは、基材１００と、感圧接着剤層１０１と、追加のポリマー層１０４とを含み、前記感圧接着剤層は、接着性高分子材料と少なくとも１つのルミネセンス色素１０２を含む。
【０１２０】
本発明のもう１つの態様において、太陽電池、ソーラーパネルまたは光起電力デバイスの性能を改善する方法は、本明細書に開示する感圧接着型の波長変換テープを太陽電池、ソーラーパネルまたは光起電力デバイスに適用することを含む。前記方法の一部の実施形態では、ロールラミネータを使用して前記テープを前記太陽電池、ソーラーパネルもしくは光起電力デバイスに適用する。デバイス、例えば、シリコン系デバイス、ＩＩＩ−ＶまたはＩＩ−ＶＩ  ＰＮ接合デバイス、銅−インジウム−ガリウム−セレン（ＣＩＧＳ）薄膜デバイス、有機増感剤デバイス、有機薄膜デバイス、または硫化カドミウム／テルル化カドミウム（ＣｄＳ／ＣｄＴｅ）薄膜デバイスを改善することができる。
【０１２１】
太陽光捕集デバイスには、該デバイスを封止または保護するためにガラスまたはポリマー材料が一般に使用され、この材料は、典型的には、該デバイスの光入射側で環境に曝露される。したがって、前記感圧接着型の波長変換テープは、これらのタイプのガラスおよびポリマー表面への接着に適合できなければならない。前記方法の一部の実施形態において、前記太陽電池、ソーラーパネルまたは光起電力デバイスの光入射面は、ガラスまたはポリマーからなる材料である。前記方法の一部の実施形態において、前記テープの接着剤層は、ガラス表面に接着するように設計されている。前記方法の一部の実施形態において、前記テープの接着剤層は、ポリマー表面に接着するように設計されている。
【０１２２】
太陽光捕集デバイスは、硬質であることもあり、または可撓性であることもある。硬質デバイスとしては、シリコン系太陽電池があげられる。可撓性ソーラーデバイスは、多くの場合、有機薄膜を材料として作られ、それらを衣類、テントまたは他の可撓性基材上で使用することができる。したがって、一部の実施形態では、前記感圧接着型の波長変換テープを硬質デバイスに適用することもあり、または可撓性デバイスに適用することもある。
【０１２３】
一部の実施形態では、ロールラミネータを使用してライナーを剥がし、テープを巻き出し、その後、そのテープをソーラーパネルの入射面にプレスすることによって、前記感圧接着型の波長変換テープを硬質ソーラーパネルに適用する。前記波長変換テープを巻き出す際に、前記ライナーを無傷で残してそのテープをそのテープによって覆われる表面のサイズに従って部分的に切断することができる。前記ローラーから前記テープを巻き出す際に、前記テープ部分をソーラーパネルの表面に適用すると同時に未切断のライナーを別のローラーに巻き取る。
【０１２４】
一部の実施形態では、上で説明したように、ロールラミネータを使用してライナーを剥がし、テープを巻き出し、その後、そのテープをソーラーパネルの入射面にプレスすることによって、前記感圧接着型の波長変換テープを可撓性ソーラー・パネル・デバイスに適用する。積層された可撓性ソーラーパネルを前記テープの適用後に巻き取ることもできる。
【０１２５】
本発明の目的は、太陽電池、光起電力デバイス、ソーラーモジュールおよびソーラーパネルへの適用に適し得る、感圧接着型の波長変換テープを提供することである。このフィルムを使用することにより、改善された光変換効率を期待することができる。
【０１２６】
前記感圧波長変換層を形成するための合成方法は限定されないが、下で説明する合成手順例に従うことができる。
【０１２７】
一部の実施形態では、少なくとも１つのルミネセンス色素と接着性高分子材料とを含有する感圧波長変換層１０１をガラスプレート上に作製する。（ｉ）８０重量％ポリ（酢酸ブチル−ｃｏ−酢酸）（ＢＡ／ＡＡ）ポリマー溶液を、ポリマーをトルエンに溶解することで調製する工程；（ｉｉ）前記ＢＡ／ＡＡ溶液と合成した発色団とを０．２重量％の重量比（発色団／ＢＡ／ＡＡ）で混合して発色団含有接着性ポリマー溶液を得ることによって、ＢＡ／ＡＡマトリックスを含有する発色団を調製する工程；（ｉｉｉ）前記発色団含有ポリマー溶液をガラスプレート上に直接キャストし、その後、そのプレートを１時間、１５０℃の真空オーブンで熱処理してトルエンを除去することによって、発色団／ポリマーフィルムを形成する工程；および（ｉｖ）その後、２つの試験片を互いに付着させ、１５０℃で１００μｍガラスビーズが挟まれた２枚のガラスプレート間に手で圧力をかけて、感圧波長変換層が積層されたガラスを得る工程により、前記感圧波長変換層を作製する。
【０１２８】
感圧波長変換層を形成したら、それを太陽電池の光入射面に接着することができる。一部の実施形態では、ガラスプレートを感圧接着剤層のための基材として使用する。一部の実施形態において、前記基材は、前記感圧接着剤層を環境への曝露から保護する保護層としての役割も果たす。
【０１２９】
本発明の態様および関連技術に対して達成された利点を要約するために、本発明の一定の目的および利点を本開示に記載する。もちろん、かかる目的または利点の必ずしもすべてが、本発明の任意の特定の実施形態に従って達成され得るとは限らないことは、理解されるはずである。したがって、例えば、本明細書において教示するような１つの利点または利点群を達成するまたは最適化するが、本明細書において教示または提案され得る他の目的または利点を必ずしも達成するわけではない様式で、本発明を実施するまたは行うことができることは、当業者にはわかるであろう。
【０１３０】
本発明のさらなる態様、特徴および利点は、以下の詳細な実施例から明らかになるであろう。
【実施例】
【０１３１】
本発明を制限することを意図したものではない好ましい実施形態に関して、実施形態を説明することにする。さらに、本開示の中で条件および／または構造が指定されていない場合、当業者は、常例的実験として、本開示にかんがみて、かかる条件および／または構造を容易に規定することができる。
【０１３２】
（発色団化合物の合成）
（中間体Ａ）
共通の中間体Ａを次のスキームに従って合成した。
【化１７】
2015511256.tif 000019
【０１３３】
（工程１：２−イソブチル−２Ｈ−ベンゾ［ｄ］［１，２，３］トリアゾール。）
ベンゾトリアゾール（１１．９１ｇ、１００ｍｍｏｌ）と、１−ヨード−２−メチルプロパン（１３．８ｍＬ、１２０ｍｍｏｌ）と、炭酸カリウム（４１．４６ｇ、３００ｍｍｏｌ）と、ジメチルホルムアミド（２００ｍＬ）との混合物を撹拌し、アルゴン下、４０℃で２日間加熱した。その反応混合物を氷／水（１Ｌ）に注入し、トルエン／ヘキサン（２：１、２ｘ５００ｍＬ）で抽出した。抽出物を１Ｎ  ＨＣｌ（２ｘ２００ｍＬ）、続いてブライン（１００ｍＬ）で洗浄し、無水硫酸マグネシウムで乾燥させ、溶剤を減圧下で除去した。残留物をヘキサン（２００ｍＬ）で磨砕し、室温で２時間、放置した。沈殿物を分離して廃棄し、溶液をシリカゲル層（２００ｇ）に通して濾過した。そのシリカゲルをヘキサン／ジクロロメタン／酢酸エチル（３７：５０：３、２Ｌ）で洗浄した。濾液と洗液を合わせ、溶剤を減圧下で除去して、２−イソブチル−２Ｈ−ベンゾ［ｄ］［１，２，３］トリアゾール（８．８１ｇ、収率５０％）を油性生成物として得た。１Ｈ  ＮＭＲ（４００ＭＨｚ，ＣＤＣ１３）：δ  ７．８６（ｍ，２Ｈ，ベンゾトリアゾール），７．３７（ｍ，２Ｈ，ベンゾトリアゾール），４．５３（ｄ，Ｊ＝７．３Ｈｚ，２Ｈ，ｉ−Ｂｕ），２．５２（ｍ，１Ｈ，ｉ−Ｂｕ），０．９７（ｄ，Ｊ＝７．０Ｈｚ，６Ｈ，ｉ−Ｂｕ）。
【０１３４】
（工程２：４，７−ジブロモ−２−イソブチル−２Ｈ−ベンゾ［ｄ］［１，２，３］トリアゾール（中間体Ａ）。）
２−イソブチル−２Ｈ−ベンゾ［ｄ］［１，２，３］トリアゾール（８．８０ｇ、５０ｍｍｏｌ）と、臭素（７．７ｍＬ、１５０ｍｍｏｌ）と、４８％ＨＢｒ（５０ｍＬ）との混合物を、ＨＢｒトラップが接続された還流冷却器のもと、１３０℃で２４時間加熱した。その反応混合物を氷／水（２００ｍＬ）に注入し、５Ｎ  ＮａＯＨ（１００ｍＬ）で処理し、ジクロロメタン（２ｘ２００ｍＬ）で抽出した。抽出物を無水硫酸マグネシウムで乾燥させ、溶剤を減圧下で除去した。ヘキサン／ジクロロメタン（１：１、２００ｍＬ）中の前記残留物の溶液をシリカゲル層に通して濾過して、４，７−ジブロモ−２−イソブチル−２Ｈ−ベンゾ［ｄ］［１，２，３］トリアゾール、中間体Ａ（１１．１４ｇ、収率６３％）を油として得た。この油は、室温で保管するとゆっくりと凝固した。１Ｈ  ＮＭＲ（４００ＭＨｚ，ＣＤＣ１３）：δ  ７．４４（ｓ，２Ｈ，ベンゾトリアゾール），４．５８（ｄ，Ｊ＝７．３Ｈｚ，２Ｈ，ｉ−Ｂｕ），２．５８（ｍ，１Ｈ，ｉ−Ｂｕ），０．９８（ｄ，Ｊ＝６．６Ｈｚ，６Ｈ，ｉ−Ｂｕ）。
【０１３５】
（発色団１）
実施例化合物発色団１を次の反応スキームに従って合成した。
【化１８】
2015511256.tif 000020
【０１３６】
中間体Ａ（６６６ｍｇ、２．０ｍｍｏｌ）と、４−イソプロポキシフェニルボロン酸（１．００ｇ、５．５ｍｍｏｌ）と、テトラキス（トリフェニルホスフィン）パラジウム（０）（０．５０ｇ、０．４３ｍｍｏｌ）と、水（８ｍＬ）中の炭酸ナトリウム（１．０６ｇ、１０ｍｍｏｌ）の溶液と、ブタノール（３０ｍＬ）と、トルエン（２０ｍＬ）との混合物を激しく撹拌し、アルゴン下、１００℃で２０時間加熱した。その反応混合物を水（３００ｍＬ）に注入し、３０分間撹拌し、トルエン／酢酸エチル（１：１、３００ｍＬ）で抽出した。揮発分を減圧下で除去し、残留物をクロマトグラフィー（シリカゲル、ヘキサン／ジクロロメタン、１：１）に付した。分離された生成物をエタノールから再結晶させて、純粋な４，７−ビス（４−イソプロポキシフェニル）−２−イソブチル−２Ｈ−ベンゾ［ｄ］［１，２，３］トリアゾール、化合物発色団１（６５５ｍｇ、収率７４％）を得た。１Ｈ  ＮＭＲ（４００ＭＨｚ，ＣＤＣ１３）：δ  ８．００（ｄ，Ｊ＝８．７Ｈｚ，４Ｈ，４−ｉ−ＰｒＯＣ６Ｈ４），７．５５（ｓ，２Ｈ，ベンゾトリアゾール），７．０２（ｄ，Ｊ＝８．８Ｈｚ，４Ｈ，４−ｉ−ＰｒＯＣ６Ｈ４），４．６４（七重線，Ｊ＝６．２Ｈｚ，２Ｈ，４−ｉ−ＰｒＯＣ６Ｈ４），４．５９（ｄ，Ｊ＝７．７Ｈｚ，２Ｈ，ｉ−Ｂｕ），２．６１（ｍ，１Ｈ，ｉ−Ｂｕ），１．３８（ｄ，Ｊ＝６．２Ｈｚ，１２Ｈ，４−ｉ−ＰｒＯＣ６Ｈ４），１．０１（ｄ，Ｊ＝６．６Ｈｚ，６Ｈ，ｉ−Ｂｕ）。紫外・可視（ＵＶ−ｖｉｓ）スペクトル（ＰＶＢ）：λｍａｘ＝３６０ｎｍ。蛍光分析法（ＰＶＢ）λｍａｘ＝４３５ｎｍ。
【０１３７】
（感圧接着剤材料の合成）
ポリ（酢酸ブチル−ｃｏ−酢酸）（ＢＡ／ＡＡ）を感圧接着剤材料として使用した。前記ＢＡ／ＡＡ材料を次の反応スキームに従って合成した。
【化１９】
2015511256.tif 000021
【０１３８】
２５０ｍＬの２口反応フラスコにアルゴン流および冷却器を装備させた。このフラスコに、５３．１ｍＬ（３７１ｍｍｏｌ、１当量）のアクリル酸ブチルを添加した。その後、２．３８ｍＬ（３４．７ｍｍｏｌ、０．０９当量）のアクリル酸を添加し、続いて１６６．７ｍＬのトルエンを添加した。その反応物をアルゴン下で１０分間撹拌した。最後の成分として、１３５ｍｇ（０．８２２ｍｍｏｌ、０．００２当量）のＡＩＢＮ開始剤を添加し、その反応フラスコを直ちに６５℃予熱浴に入れ、一晩、重合させた。重合後、合成したままの反応内容物を試験に使用した。
【０１３９】
〔実施例１〕
（感圧接着性波長変換テープの合成）
実施例１を次の手順に従って作製した。ルミネセンス色素と接着性高分子材料とを含有する感圧波長変換層をガラスプレート上に作製する。（ｉ）８０重量％ポリ（酢酸ブチル−ｃｏ−酢酸）（ＢＡ／ＡＡ）ポリマー溶液を、ポリマーをトルエンに溶解することで調製する工程；（ｉｉ）前記ＢＡ／ＡＡ溶液と合成した発色団１とを０．２重量％の重量比（発色団１／ＢＡ／ＡＡ）で混合して発色団含有接着性ポリマー溶液を得ることによって、ＢＡ／ＡＡマトリックスを含有する発色団を調製する工程；（ｉｉｉ）前記発色団含有ポリマー溶液をＢ２７０ガラスプレート（２．５ｃｍ×２．５ｃｍ）上に直接キャストし、その後、そのプレートを１時間、１５０℃の真空オーブンで熱処理してトルエンを除去することによって、発色団／ポリマーフィルムを形成する工程；および（ｉｖ）その後、２つの試験片を互いに付着させ、１５０℃で１００μｍガラスビーズが挟まれた２枚のガラスプレート間に手で圧力をかけて、感圧波長変換層が積層されたガラスを得る工程により、前記感圧波長変換層を作製する。
【０１４０】
（比較例２−波長変換フィルム）
比較例２を次の手順に従って作製した：（ｉ）エチレン酢酸ビニル（ＥＶＡ）ポリマー溶液を、ＥＶＡ粉末（Ａｌｄｒｉｃｈからのもの；受け取ったまま使用）をＴＣＥ（Ａｌｄｒｉｃｈからのもの；受け取ったまま使用）に２０重量％の所定の比率で溶解することによって調製し；（ｉｉ）前記ＥＶＡポリマー溶液と合成した化合物発色団１とを０．３重量％の重量比（発色団１／ＥＶＡ）で混合して発色団含有ポリマー溶液を得ることによって、ＥＶＡマトリックスを含有する発色団を調製し；（ｉｉｉ）前記発色団含有ポリマー溶液をガラス基板上に直接キャストし、その後、その基板を室温から１００℃まで２時間、加熱処理し、１３０℃で一晩のさらなる真空加熱により残存する溶剤を完全に除去することによって、発色団／ポリマー層を形成し；および（ｉｖ）水中で前記発色団／ポリマー層を剥がし、その後、自立ポリマー層を乾燥させ；（ｖ）層厚みは２５０μｍであり、これを、前記発色団／ポリマー溶液の濃度および蒸発速度を変えることによって得た。比較例２におけるＥＶＡは、感圧接着剤材料ではない。
【０１４１】
（太陽電池への試料の適用）
比較例２試料を結晶シリコン太陽電池の光入射面に、そのＥＶＡ／発色団フィルムをその太陽電池の光入射ガラス面の上に手で押し付けることによって適用した。
【０１４２】
（短絡電流向上の測定）
短絡電流向上は、太陽光捕集変換効率の向上に直線的に比例する。したがって、その電池により生成される短絡電流の増加は、太陽光捕集効率も高めることを示す。比較例２の太陽電池光電変換効率をＮｅｗｐｏｒｔ  ４００Ｗフルスペクトル・ソーラー・シミュレータ・システムによって測定した。光の強度を２ｃｍ×２ｃｍ校正済み基準単結晶シリコン太陽電池によってワン・サン（ＡＭ１．５Ｇ）に調整した。その後、その結晶シリコン太陽電池のＩ−Ｖ特性評価を同じ照射下で行った。その短絡電流を、前記シミュレータにインストールされているＮｅｗｐｏｒｔソフトウェアプログラムによって計算する。その電池のスタンドアロン短絡電流の判定後、比較例２フィルムでのその電池の向上を測定する。
【０１４３】
付着フィルムでの前記太陽電池の短絡電流向上を、次の方程式を用いて決定した。
【０１４４】
向上＝（Ｊ電池＋フィルム−Ｊ電池）／Ｊ電池×１００％
【０１４５】
結晶シリコン太陽電池についての相対的向上は、ＥＶＡと発色団化合物１とを含有する比較例２については約２〜３％である。
【０１４６】
（光学特性の測定）
実施例１および比較例２試料の吸収を、株式会社島津製作所（Ｓｈｉｍａｄｚｕ）からの紫外・可視・近赤外（ＵＶ−Ｖｉｓ−ＮＩＲ）分光光度計モデルＵＶ−３６００を使用して測定した。実施例１および比較例２試料の発光スペクトルを、浜松ホトニクス株式会社（Ｈａｍａｍａｔｓｕ）からの絶対ＰＬ量子収率分光計（Ａｂｓｏｌｕｔｅ  ＰＬ  Ｑｕａｎｔｕｍ  Ｙｉｅｌｄ  Ｓｐｅｃｔｒｏｍｅｔｅｒ）モデルＣ１１３４７で測定した。
【０１４７】
図４は、実施例１および比較例２試料の光学特性を示す。これらのフィルムの吸収および発光は非常に類似しており、これは、感圧接着剤としてのＢＡ／ＡＡと発色団１とを含有する実施例１フィルムが、結晶シリコン太陽電池に適用したとき、約２〜３％と測定された比較例２と同様の短絡電流改善を有することとなることを示す。
【０１４８】
この本発明の目的は、太陽電池、光起電力デバイス、ソーラーモジュールおよびソーラーパネルへの適用に適し得る感圧波長変換テープを提供することである。上の実施例によって例証されるように、太陽光捕集デバイスの光入射面への感圧波長変換テープの適用により、光変換効率の改善が期待できる。
【０１４９】
本発明の態様および関連技術に対して達成された利点を要約するために、本発明の一定の目的および利点を本開示に記載する。もちろん、かかる目的または利点の必ずしもすべてが、本発明の任意の特定の実施形態に従って達成され得るとは限らないことは、理解されるはずである。したがって、例えば、本明細書において教示するような１つの利点または利点群を達成するまたは最適化するが、本明細書において教示または提案され得る他の目的または利点を必ずしも達成するわけではない様式で、本発明を実施するまたは行うことができることは、当業者にはわかるであろう。
【０１５０】
本発明の精神から逸脱することなく非常に多数の様々な変更を加えることができることは、当業者には理解されるであろう。したがって、本発明の前記形態が、例示に過ぎず、本発明の範囲を制限するためのものではないことは、明確に理解されるはずである。
【図１】
2015511256.tif 000030
【図２】
2015511256.tif 000031
【図３】
2015511256.tif 000032
【図４】
2015511256.tif 000033
【国際調査報告】
2015511256.tif 000034
2015511256.tif 000035
2015511256.tif 000036